(57)【特許請求の範囲】
【請求項１】
データを受信する受信手段と、
ランダムアクセス可能な記録媒体に前記受信手段により受信されたデータを記録する記録手段と、
日付の軸と時刻の軸とから規定される領域の表示を制御する第１の表示制御手段と、
前記第１の表示制御手段により表示が制御された領域から、所望のデータが配信される日時を選択し、そのデータの記録を予約する予約手段と、
前記第１の表示制御手段により表示が制御されている領域に、前記記録手段により記録されたデータの情報と前記予約手段により予約されたデータの情報を、それぞれ対応する日時に位置させるように表示を制御する第２の表示制御手段と
を備え、
前記第１の表示制御手段は、現在より未来の部分に関しては連続する日付が表示されるように制御し、過去の部分に関しては記録されたデータが存在する日付のみが表示されるように制御する
画像処理装置。
【請求項２】
前記第２の表示制御手段は、前記記録されたデータの情報をそのデータの記録時間に関係なく一定の幅で表示するように制御する、または、所定の記録時間以下のデータは、見やすい大きさに変換して表示するように制御する
請求項１に記載の画像処理装置。
【請求項３】
前記第２の制御手段は、同時刻に記録されたデータが複数ある場合、その数に応じた数の枠の表示を制御する
請求項１に記載の画像処理装置。
【請求項４】
前記第２の表示制御手段は、前記記録されたデータの情報と前記予約されたデータの情報を、異なる色で表示するか、異なる形で表示するか、または異なるマークで表示するように制御する
請求項１に記載の画像処理装置。
【請求項５】
前記第２の表示制御手段により表示される前記記録されたデータの情報は、記録されたデータのサムネイル画像または動画である
請求項１に記載の画像処理装置。
【請求項６】
データを受信する受信ステップと、
ランダムアクセス可能な記録媒体に前記受信ステップで受信されたデータを記録する記録ステップと、
日付の軸と時刻の軸とから規定される領域の表示を制御する第１の表示制御ステップと、
前記第１の表示制御ステップで表示が制御された領域から、所望のデータが配信される日時を選択し、そのデータの記録を予約する予約ステップと、
前記第１の表示制御ステップで表示が制御されている領域に、前記記録ステップに記録されたデータの情報と前記予約ステップで予約されたデータの情報を、それぞれ対応する日時に位置させるように表示を制御する第２の表示制御ステップ
を含み、
前記第１の表示制御ステップの処理は、現在より未来の部分に関しては連続する日付が表示されるように制御し、過去の部分に関しては記録されたデータが存在する日付のみが表示されるように制御する
画像処理方法。
【請求項７】
データを受信する受信ステップと、
ランダムアクセス可能な記録媒体に前記受信ステップで受信されたデータを記録する記録ステップと、
日付の軸と時刻の軸とから規定される領域の表示を制御する第１の表示制御ステップと、
前記第１の表示制御ステップで表示された領域から、所望のデータが配信される日時を選択し、そのデータの記録を予約する予約ステップと、
前記第１の表示制御ステップで表示されている領域に、前記記録ステップに記録されたデータの情報と前記予約ステップで予約されたデータの情報を、それぞれ対応する日時の位置に表示を制御する第２の表示制御ステップ
を含み、
前記第１の表示制御ステップの処理は、現在より未来の部分に関しては連続する日付が表示されるように制御し、過去の部分に関しては記録されたデータが存在する日付のみが表示されるように制御する
処理を画像処理装置に実行させるコンピュータが読み取り可能なプログラムを記録している記録媒体。
【発明の詳細な説明】
【０００１】
【発明の属する技術分野】
本発明は画像処理装置および方法、並びに記録媒体に関し、特に、番組をハードディスクに録画し、録画された番組と録画予約された番組を、それぞれ対応する時間帯に、日付の軸と時間の軸とから規定されるカレンダー状の領域上に表示するようにした画像処理装置および方法、並びに記録媒体に関する。
【０００２】
【従来の技術】
従来のビデオテープレコーダにおいては、ユーザがビデオテープに何が録画されているのかを知るためには、予め、ユーザ自身が録画内容をメモなどに書き記しておく必要があった。このようなユーザの手間をなくす目的で、テープナビゲーションシステムなどと称される機能を付けたビデオテープレコーダがある。テープナビゲーションシステムの機能を備えたビデオテープレコーダは、ビデオテープに録画されている番組の放送された曜日や時間帯などが表示されるようになっている。
【０００３】
【発明が解決しようとする課題】
しかしながら、上述したテープナビゲーションシステムの機能が備えられていないビデオテープレコーダにおいては、ユーザ自身がメモなどに録画内容を書き記しておかなければならないといった課題があり、テープナビゲーションシステムの機能が付いているビデオテープレコーダにおいては、所望の番組を探し出すために、ビデオテープの出し入れを繰り返し、記録されている番組の確認をしなくてはならないといった課題があった。
【０００４】
本発明はこのような状況に鑑みてなされたものであり、所望の番組を容易に探し出し、再生できるようにすることを目的とする。
【０００５】
【課題を解決するための手段】
本発明の画像処理装置は、データを受信する受信手段と、ランダムアクセス可能な記録媒体に受信手段により受信されたデータを記録する記録手段と、日付の軸と時刻の軸とから規定される領域の表示を制御する第１の表示制御手段と、第１の表示制御手段により表示が制御された領域から、所望のデータが配信される日時を選択し、そのデータの記録を予約する予約手段と、第１の表示制御手段により表示が制御されている領域に、記録手段に記録されたデータの情報と予約手段により予約されたデータの情報を、それぞれ対応する日時に位置させるように表示を制御する第２の表示制御手段とを備え、第１の表示制御手段は、現在より未来の部分に関しては連続する日付が表示されるように制御し、過去の部分に関しては記録されたデータが存在する日付のみが表示されるように制御する。
【０００６】
本発明の画像処理方法は、データを受信する受信ステップと、ランダムアクセス可能な記録媒体に受信ステップで受信されたデータを記録する記録ステップと、日付の軸と時刻の軸とから規定される領域の表示を制御する第１の表示制御ステップと、第１の表示制御ステップで表示が制御された領域から、所望のデータが配信される日時を選択し、そのデータの記録を予約する予約ステップと、第１の表示制御ステップで表示が制御されている領域に、記録ステップに記録されたデータの情報と予約ステップで予約されたデータの情報を、それぞれ対応する日時に位置させるように表示を制御する第２の表示制御ステップとを含み、第１の表示制御ステップの処理は、現在より未来の部分に関しては連続する日付が表示されるように制御し、過去の部分に関しては記録されたデータが存在する日付のみが表示されるように制御する。
【０００７】
本発明の記録媒体は、データを受信する受信ステップと、ランダムアクセス可能な記録媒体に受信ステップで受信されたデータを記録する記録ステップと、日付の軸と時刻の軸とから規定される領域の表示を制御する第１の表示制御ステップと、第１の表示制御ステップで表示が制御された領域から、所望のデータが配信される日時を選択し、そのデータの記録を予約する予約ステップと、第１の表示制御ステップで表示されている領域に、記録ステップに記録されたデータの情報と予約ステップで予約されたデータの情報を、それぞれ対応する日時に位置させるように表示を制御する第２の表示制御ステップとを含み、第１の表示制御ステップの処理は、現在より未来の部分に関しては連続する日付が表示されるように制御し、過去の部分に関しては記録されたデータが存在する日付のみが表示されるように制御する処理を画像処理装置に実行させるコンピュータが読み取り可能なプログラムを記録している。
【０００８】
本発明の画像処理装置および方法、並びに記録媒体においては、記録媒体にデータが記録され、日付の軸と時刻の軸とから規定される領域の表示が制御され、表示が制御された領域から、所望のデータが配信される日時が選択され、そのデータの記録が予約され、表示が制御されている領域に、記録されたデータの情報と予約されたデータの情報が、それぞれ対応する日時に位置されるように表示が制御される。その表示の制御は、現在より未来の部分に関しては連続する日付が表示されるように制御され、過去の部分に関しては記録されたデータが存在する日付のみが表示されるように制御される。
【０００９】
【発明の実施の形態】
図１は、本発明を適用したビデオレコーダと他の装置との接続関係を示す図である。ビデオレコーダ１、テレビジョン受像機２、およびパーソナルコンピュータ３は、それぞれ相互にネットワーク４により接続されている。ここでは、ネットワーク４は、IEEE1394であるとし、以下の説明をするが、IEEE1394以外のネットワークでも、本発明を適用することは可能である。
【００１０】
リモートコントローラ５は、ユーザがビデオレコーダ１やテレビジョン受像機２を操作するときに用いられる。図２に、リモートコントローラ５の外観を示す。図２においては、後述するテレビジョン受像機に表示されたカーソルを操作し、再生や録画予約を行う為に必要な機能のみを示し、チャンネルや音量を変える為のボタンなどは示していない。図２に示したリモートコントローラ５の上部には、操作信号を送信する送信部１１が備えられている。送信部１１は、例えば、赤外線が用いられる。ここでは、赤外線を用いたとして、以下の説明をする。
【００１１】
図２（Ａ）に示したリモートコントローラ５は、カーソルを操作するためのボタン１２−１乃至１２−４を設けられている。ボタン１２−１は、カーソルを上方向に、ボタン１２−２は右方向に、ボタン１２−３は下方向に、およびボタン１２−４は左方向に、それぞれ移動させたいときに操作される。カーソルが位置する項目を選択し、決定したい場合、決定ボタン１３が操作される。また、連続指定ボタン１４は、後述するように、同時間帯を複数の日にわたって録画予約したいときに操作されるボタンである。
【００１２】
図２（Ｂ）に示したリモートコントローラ５は、カーソルを操作するためにジョグダイアル（商標）１５が設けられている。ジョグダイアル１５は、円形をしたダイアルであり、本体に対して上下方向に回転するとともに、前後（手前と奥）に傾斜するように、リモートコントローラ５の本体に備え付けられている。ジョグダイアル１５が上下に操作されるとカーソルは上下方向に移動し、前に傾斜されると左方向に、奥に傾斜されると右方向に移動する（前で右方向、奥で左方向に移動するようにしても良い）。ユーザはカーソルを所望の項目に移動させたら、ジョグダイアル１５を図中左方向に押下することにより、その項目を決定することができる。
【００１３】
図２（Ｃ）に示したリモートコントローラ５は、カーソルを操作するために、ジョグダイアル１６が設けられている。このジョグダイアル１６は、基本的に図２（Ｂ）に示したジョグダイアル１５と同様の操作により、項目の選択および決定をおこなう。すなわち、ジョグダイアル１６は、図中上下方向に回転し、左右方向に移動するようにリモートコントローラ５の本体に取り付けられており、カーソルを移動させることができるようにされている。そして、決定したい項目にカーソルが移動されたら、ジョグダイアル１６が押下されることにより、その項目が決定される。
【００１４】
なお、カーソルを操作するための機能としては、上述したものに限られるわけではなく、その他にも、トラックボール（商標）や、マウスなどを用いた形でも良い。
【００１５】
図３は、ビデオレコーダ１の内部構成を示すブロック図である。CPU（Central Processing Unit）２１、ROM（Read Only Memory）２２、RAM（Random Access Memory）２３、IEEE1394インターフェース２４、インターフェース２５、エンコーダ２６、およびデコーダ２７は、バス２８により相互に接続されている。インターフェース２５には、赤外線受信部２９とHDD（Hard Disk Draive）３０が接続されており、エンコーダ２６にはチューナ３１が接続されている。
【００１６】
CPU２１は、ROM２２に記憶されているプログラムにより各部を制御する。RAM２３は、CPU２１が各部を制御する際に必要なデータの書き込みおよび読み出しがされる。IEEE1394インターフェース２４は、ネットワーク４を介してデータの授受が行われる際のインターフェースをする。インターフェース２５は、赤外線受信部２９が受信したリモートコントローラ５からの操作信号をインタフェースすると共に、HDD３０にデータの書き込みおよび読み出しのインターフェースも行う。なお、HDD３０は、ビデオレコーダ１に内蔵されていても良いし、外付けされていても良い。また、ネットワーク４に接続されている他の装置、例えば、パーソナルコンピュータ３のHDD（不図示）を用いることも可能である。
【００１７】
チューナ３１は図示されていないアンテナにより受信された信号から、ユーザが所望とした番組の信号を抽出し、エンコーダ２６に出力する。エンコーダ２６は、例えば、MPEG（Moving Picture Experts Group）を用いて、入力された信号をエンコードし、IEEE1394インターフェースとネットワーク４を介してテレビジョン受像機２に出力する。また、エンコーダ２６によりエンコードされた信号は、その信号が録画予約されていた番組である場合など、インターフェース２５を介してHDD３０に記録される。
【００１８】
デコーダ２７は、MPEGで圧縮されたデータを直接伝送できない他の記録媒体や装置に、HDD３０に記憶されているMPEGで圧縮されたデータを伝送する際に、そのデータをデコードする。
【００１９】
このような構成をもつビデオレコーダ１を用いた録画予約や再生について説明する。図４は、テレビジョン受像機２に表示される表示画面の一例を示している。このような画面は、例えば、ビデオレコーダ１の電源がオンにされた時に、初期画面として表示されるように設定しておいても良いし、ユーザの指示により表示されるようにしても良い。
【００２０】
表示された画面の上部には、日付が表示される日付表示部が設けられており、操作されている日（現在の日）には、例えば、図４に示したように１／４（１月４日）が円に囲まれて表示されるなどされ、他の日と区別が付くようにされている。また、表示画面の左側には、時間が２４時間表示で表示される時間表示部が設けられている。日付の軸と時間の軸により規定される領域の中には、番組が既に録画されていることを示す枠４１−１、現在、番組を録画中であることを示す枠４１−２、既に番組を録画する事が予約されていることを示す枠４１−３、およびカーソル４２が表示されている。
【００２１】
枠４１−１乃至４１−３は、それぞれ異なる色や形で表示するようにしても良いし、録画中を示す枠４１−２だけを点滅して表示するようにしても良い。表示の形や色などは限定されるものではなく、ユーザの使い勝手を考慮して、どのようなものでも良い。また枠４１−１乃至４１−３は、録画時間に応じた縦幅で表示される。
【００２２】
スクロールボタン４３は、表示されている部分以外（過去の部分）に、録画された番組が存在する場合に表示され、存在しない場合は、図５に示すように表示されない。このようにスクロールボタン４３を設けることで、ユーザが過去に録画した番組があるか否かを判断でき、無駄にスクロールさせるような不都合をなくすことができる。また、図４では、”１／１”や”１／３”のように、録画済みの番組がないような日も表示したが、図５では、録画済みの番組が存在する日のみを表示する例を示した。このように、録画済みの番組が存在しないような日は、表示しないようにしても良い。
【００２３】
次に、図５に示した表示画面から、番組を選択し、再生させる場合を説明する。ユーザは、テレビジョン受像機２に表示されている図５に示したような表示画面のカーソル４２を、例えば、図２（Ａ）に示したリモートコントローラ５を用いて操作することにより、所望の録画済みの番組（所望の枠４１−１）に移動させる。カーソル４２は、録画済みの枠４１−１のみを移動する。以下、ユーザは、図２（Ａ）に示したリモートコントローラ５を用いて操作を行うとする。なお、表示画面には、番組表を表示するようにしても良い。
【００２４】
図６は、録画済みの番組を示す枠４１−１の詳細を説明する図である。枠４１−１は、画像部５１と情報部５２とから構成されている。画像部５１には、録画された番組を示すサムネイル画像または動画が、HDD３０から読み出され、表示される。情報部５２には、番組が放送されたチャンネルや番組名などが表示される。この情報部５２に表示される情報は、VBI（Vertical Blanking Interval）に含まれる情報などから取得され、HDD３０に記憶されたデータが用いられる。
【００２５】
なお、枠４１−１は、録画時間に応じた縦幅で表示されるようにしても良いが、録画時間が短い場合は、縦幅が狭くなってしまうため、画像部５１の画像や情報部５２の情報が小さく表示され、見づらくなってしまう。そのようなことを防ぐために、録画済みを示す枠４１−１は、録画時間に関係なく一定の縦幅で表示する、または、所定の録画時間以下の番組は、見やすい大きさの枠に変換して表示するなどの処理が行われる。
【００２６】
カーソル４２が枠４１−１に移動されると、図６に示したように、メニューウィンドウ５３が開かれる。メニューウィンドウ５３は、ユーザの処理を必要とせずにカーソル４２が枠４１−１に移動された時点で開かれるようにしても良いし、ユーザがカーソル４２を所望の枠４１−１に移動させ、その後、決定ボタン１３が操作されると開かれるようにしても良い。開かれたメニューウィンドウ５３には、選択した番組を再生したい場合に操作される再生ボタン５４−１、消去したいときに操作される消去ボタン５４−２、および他の記録媒体にダビングしたいときに操作されるダビングボタン５４−３が表示されている。勿論、その他の処理、例えば、早送り再生などを行う時に操作されるボタンを表示させるようにしてもよい。
【００２７】
再生ボタン５４−１が操作されると、選択された番組の再生、すなわち、HDD３０に記憶されているMPEG方式などが用いられて圧縮されたデータが、CPU２１によりインターフェース２５を介して読み出され、IEEE1392インターフェース２４から、ネットワーク４を介してテレビジョン受像機２に対して伝送される。伝送されたデータがテレビジョン受像機２によりデコードされることにより、選択された番組が再生される。
【００２８】
消去ボタン５４−２が操作されると、選択された番組は、HDD３０から消去される。また、ダビングボタン５４−３が操作されると、他の記録媒体へ選択された番組をダビングするための設定画面などに切り換えられ、その設定画面に従った操作が行われることにより、ダビングが行われる。
【００２９】
図６においては、メニューウィンドウ５３の再生ボタン５４−１の位置にカーソル４２が位置している場合を示している。カーソル４２が位置する部分は、他の部分と区別が付くように、色を付けて表示される、点滅して表示されるなどされる。また、枠４１−１の色は、番組のジャンルにより（VBIより得られる情報により）色を変えて表示するようにしても良い。例えば、歌番組は赤、映画は黄色、ニュースは青といったように、ジャンル毎に色分けする事により、より見やすい、使い勝手の良い表示画面となる。
【００３０】
ネットワーク４に複数のビデオレコーダが接続されており、同日の重なる時間帯に録画済みの番組が複数ある場合、または、ビデオレコーダ１において、複数の番組を同時刻に録画できるような構成とされている場合、番組の数に応じた枠４１−１が表示される。図７では、３番組が重なる時間帯に録画された場合を示しており、枠４１−１−１乃至４１−１−３が表示されている。カーソル４２が位置する枠が一番上に表示され（図７では枠４１−１−１）、カーソル４２の位置する枠が変えられると、一番上に表示される枠も対応して変えられる。また、メニューウィンドウ５３も、一番上に位置する枠４１−１に付随して表示される。
【００３１】
次に、録画予約について説明する。カーソル４２は、初期設定として１時間分の縦幅で表示されるとし、所望の１番組を録画予約する場合を例に挙げて説明する。ユーザは、番組を予約したい時間帯にカーソル１２をリモートコントローラ５を用いて移動させる。そして、カーソル４２が所望の時間帯に移動されると、決定ボタン１３が操作される。決定ボタン１３が操作されると、図８に示したように、メニューウィンドウ６０が開かれる。
【００３２】
メニューウィンドウ６０には、番組の録画予約の時間帯を詳細に設定したい時に操作される詳細時刻設定ボタン６１−１、選択した時間帯と曜日に放送される番組を毎週、録画したい時に操作される毎週ボタン６１−２、番組が放送されるチャンネルを設定する時に操作されるチャンネルボタン６１−３、その他の設定する時に操作されるその他ボタン６１−４、選択した時間帯をキャンセルしたい時に操作されるキャンセルボタン６１−５、およびメニューウィンドウ６０内の処理が終了された時に操作される終了ボタン６１−６から構成されている。
【００３３】
カーソル４２が詳細時刻設定ボタン６１−１に位置するときに、ユーザが決定ボタン１３を操作すると、図９に示したように、時刻設定ウィンドウ７１が開かれる。開かれた時刻設定ウィンドウ７１には、開始時刻（図９の表示例では、２０：００）と終了時刻（図９の表示例では２１：００）が表示されている。
【００３４】
時刻を設定する際、リモートコントローラ５のボタン１２−１，１２−３は、時刻を進ませる、または、遅らせる場合に操作され、ボタン１２−２，１２−４は、カーソル４２を表示されている時刻の数字間を移動させる場合に操作される。すなわち、ボタン１２−２またはボタン１２−４を操作することにより、カーソル４２を設定したい数字の上に移動させ（図９では、開始時刻の２０時の０の上にカーソル４２が位置している場合を示している）、数字を大きくしたい場合にはボタン１２−１を操作し、小さくしたい場合にはボタン１２−３を操作することにより、所望の時刻が設定される。また、リモートコントローラ５に設けられているチャンネル変更用の数値のボタン（不図示）などにより、時刻の設定ができるようにしても良い。
【００３５】
ユーザは、所望の録画予約の時刻を設定できたら、決定ボタン１３を操作し、録画時刻の操作を終了する。録画時刻の設定が終了されると、図８に示したような画面に表示が戻される。図８に示したような表示画面の時に、メニューウィンドウ６０の毎週ボタン６１−２の位置にカーソル４２が移動され、その状態で決定ボタン１３が操作されると、その時、録画予約として確保されている同一の時間帯と曜日が、毎週、録画予約が設定されたとして設定される。
【００３６】
図８に示したような表示画面のときに、チャンネルボタン６１−３が操作されると、受信可能なチャンネルの一覧表がウィンドウ（不図示）として表示され、ユーザは、その表示されたウィンドウ内から、所望の番組が放送されるチャンネルを選択する。また、その他ボタン６１−４が操作されると、例えば、２台のビデオレコーダがネットワーク４に接続されている場合、どのビデオレコーダに録画させるかなどを設定するウィンドウが開かれる。
【００３７】
ユーザは、このようにして設定したことをキャンセルしたい場合、または、設定を行なわずにメニューウィンドウ６０を閉じたい場合、キャンセルボタン６１−５を操作する。また、ユーザは、設定した録画条件で、録画予約を設定したい場合、終了ボタン６１−６を操作する。終了ボタン６１−６が操作されると、メニューウィンドウ６０が閉じら、録画予約の設定が終了される。なお、チャンネルが設定されていない場合に、終了ボタン６１−６が操作されると、そのことをユーザに知らせるメッセージが表示され、メニューウィンドウ６０は、継続して表示され続ける。
【００３８】
上述したように、録画したい番組の時間をおおざっぱに決定した後に、詳細な時刻を設定するようにしても良いし、予めカーソル４２の縦幅（時間幅）を変化させることにより詳細な時刻を設定できるようにしても良い。以下に、カーソル４２の縦幅を変化させてから録画予約する場合を説明する。ユーザは、図４（図５）に示した表示画面から、現在以降の部分（図４では１／４の録画中を示す枠４１−２が位置する部分より、時間的に後の部分）にカーソル４２を移動させる。そして、ユーザにより、リモートコントローラ５の決定ボタン１３が操作されると、図１０に示したように、時間幅設定ウィンドウ９１が表示される。
【００３９】
時間幅設定ウィンドウ９１には、時間幅として、１時間、４５分、３０分、１５分、５分、および１分が表示されており、カーソル４２は、３０分の位置に位置している。この状態で、リモートコントローラ５の決定ボタン１３が操作されると、図１１に示したように、カーソル４２の縦幅が半分の３０分になって表示される。ユーザは、３０分幅のカーソル４２を所望の時間帯に移動させ、決定ボタン１３を操作することにより、所望の番組の録画予約を完了させる。
【００４０】
また、３０分幅のカーソル４２をリモートコントローラ５の連続指定ボタン１４（図２）を押下しながら、ボタン１２−１またはボタン１２−３を操作すると、図１２に示したように、１時間半の番組の録画予約を設定することも可能である。同様に、連続指定ボタン１４を押下しながら、ボタン１２−２またはボタン１２−４を操作すると、図１３に示したように、同一時間帯の番組を複数の日にわたって録画予約することも可能である。
【００４１】
なお、時間幅設定ウィンドウ９１から５分や１分などが選択された場合、時間の軸と日付の軸とで規定される領域を拡大表示し、細かい時間設定をしやすくする表示を行うようにしても良い。
【００４２】
このように、連続指定ボタン１４を押下した状態で録画予約が行われる場合、ユーザは、指定した時間帯と曜日で良ければ、決定ボタン１３を操作し、録画予約を設定し、良くなければ、ボタン１２−１乃至１２−４を操作し、所望の時間帯を設定し直せば良い。また、決定ボタン１３が操作され、録画予約が設定されると、図１４に示すように、メニューウィンドウ１０１が開かれる。メニューウィンドウ１０１は、図８に示したメニューウィンドウ５３から詳細時刻設定ボタン６１−１を削除した構成とされている。各ボタンが操作された場合の処理は、既に説明したので省略する。
【００４３】
録画予約が設定されたら、設定された時間帯に枠４１−３が表示されるが、その枠４１−３内に表示されるのは、図４に示したように、”録画予約”といった文字でも良いし、録画予約がされた時間帯とチャンネル番号を表示するなどでも良い。
【００４４】
同一の時間帯で、複数の日にわたって録画予約がされている状態から、１日分または数日分の録画予約を取り消す場合、ユーザは、取り消したい録画予約の枠４１−３にカーソル４２を移動させ（複数の日を選択する場合は、連続指定ボタン１４を押下しながらカーソル４２を移動させ）、決定ボタン１３を操作する。枠４１−３にカーソル４２が位置するときに決定ボタン１３が操作されると、図１５に示すように、メニューウィンドウ１１１が開かれる。メニューウィンドウ１１１には、取り消しボタン１１２−１と再設定ボタン１１２−２が設けられている。取り消しボタン１１２−１にカーソル４２が位置するとき（図１５に示した状態のとき）に、決定ボタン１３が操作されると、メニューウィンドウ１１１が開かれている録画予約の設定が解除される。
【００４５】
カーソル４２が再設定ボタン１１２−２に位置するときに決定ボタン１３が操作されると、メニューウィンドウ６０（図８）が開かれ、録画予約の再設定が行われる。
【００４６】
Ｇコード（商標）で予約された場合、その録画予約された時間帯にも枠４１−３は表示される。
【００４７】
上述した実施の形態においては、リモートコントローラ５を用いて再生や録画予約を行うようにしたが、ネットワーク４に接続されているパーソナルコンピュータ３により行えるようにしても良い。また、ビデオレコーダ１に、テレビジョン放送以外の、例えば、ラジオ放送などの番組を記録する事も可能であり、その記録された番組も、他の番組と同様に録音済みを表す枠が設定されて表示される。
【００４８】
このように、ハードディスクに番組を録画するようにしたので、ビデオテープを用いた場合と異なり、テープを出し入れする煩雑さをなくすことができる。また、カレンダー状に録画済みの番組や録画予約された番組の情報を表示するようにしたので、所望の番組の再生と録画予約を容易に行うことが可能となる。
【００４９】
本明細書中において、上記処理を実行するコンピュータプログラムをユーザに提供する提供媒体には、磁気ディスク、CD-ROMなどの情報記録媒体の他、インターネット、デジタル衛星などのネットワークによる伝送媒体も含まれる。
【００５０】
【発明の効果】
以上の如く、本発明によれば、記録されたデータの再生と所望のデータの記録の予約を簡便に行うことが可能となる。
【図面の簡単な説明】
【図１】本発明を適用したビデオレコーダと他の装置との接続を示す図である。
【図２】リモートコントローラ５の外観を示す図である。
【図３】ビデオレコーダ１の内部構成を示す図である。
【図４】テレビジョン受像機２の表示画面の一例を示す図である。
【図５】テレビジョン受像機２の表示画面を示す図である。
【図６】録画済みの番組の再生の仕方を説明する図である。
【図７】複数の番組が同一時間帯に録画されている場合の再生の仕方を説明する図である。
【図８】録画予約の仕方について説明する図である。
【図９】詳細な時刻を設定する場合の録画予約の仕方を説明する図である。
【図１０】カーソル４２の時間幅を設定してから録画予約する仕方を説明する図である。
【図１１】時間幅が変化したカーソル４２を示す図である。
【図１２】連続指定して録画予約する仕方を説明する図である。
【図１３】同一時間帯を複数の日にわたって録画予約する仕方を説明する図である。
【図１４】詳細な録画予約の設定をする仕方を説明する図である。
【図１５】録画予約の設定を解除する仕方を説明する図である。
【符号の説明】
１  ビデオレコーダ，  ２  テレビジョン受像機，  ３  パーソナルコンピュータ，  ４  ネットワーク，  ５  リモートコントローラ，  １１  送信部，  １２  ボタン，  １３  決定ボタン，  １４  連続指定ボタン，  １５，１６  ジョグダイアル，  ２１  CPU，  ２２  ROM，  ２３  RAM，  ２４  IEEE1394インターフェース，  ２５  インターフェース，  ２６  エンコーダ，  ２７  デコーダ，  ２８  バス，  ２９  赤外線受信部，  ３０  HDD，  ３１  チューナ，  ４１  枠，  ４２  カーソル
【図１】
0004171947.tif 000002
【図２】
0004171947.tif 000003
【図３】
0004171947.tif 000004
【図４】
0004171947.tif 000005
【図５】
0004171947.tif 000006
【図６】
0004171947.tif 000007
【図７】
0004171947.tif 000008
【図８】
0004171947.tif 000009
【図９】
0004171947.tif 000010
【図１０】
0004171947.tif 000011
【図１１】
0004171947.tif 000012
【図１２】
0004171947.tif 000013
【図１３】
0004171947.tif 000014
【図１４】
0004171947.tif 000015
【図１５】
0004171947.tif 000016